(57)【要約】本発明はモバイルインターネットに適用する一種のページ再組版の方法とシステムを公表した。モバイルブラウザクライアントがウェブページのアドレスにアクセスし、当該ウェブページのアドレスの再組版後のページが貯蔵されたかどうかを尋ね、キャッシュサーバがその尋ねに対し判断を下す。貯蔵している場合、再組版後のページをモバイルブラウザクライアントに送信し、モバイルブラウザクライアントがそれを表示する。貯蔵していない場合、モバイルブラウザクライアントがウェブページのアドレスの対応する未再組版のページにアクセスし、事前設定されたページの再組版手段に従ってウェブページのアドレスの対応する未再組版のページを再組版し、ウェブページのアドレスの対応する再組版ページを生成して表示する。同時に、ウェブページのアドレスの対応する再組版ページをキャッシュサーバにアップロードして貯蔵する。本発明の技術ソリューションを使用することによって、サーバの高速化効果を保障すると同時に、サーバ資源の使用量を大幅に減らすことを実現できる。【選択図】図１
2014509019.tif 000002
【特許請求の範囲】
【請求項１】
モバイルインターネットに適用する一種のページ再組版の方法であり、
Ａ）モバイルブラウザクライアントがウェブページのアドレスにアクセスし、
Ｂ）前記モバイルブラウザクライアントが前記ウェブページのアドレスの再組版後のページが貯蔵されたかどうかをキャッシュサーバに尋ね、該キャッシュサーバがその尋ねに対し判断を下し、貯蔵している場合、前記キャッシュサーバが前記再組版後のページを前記モバイルブラウザクライアントに送信し、前記モバイルブラウザクライアントが前記再組版後のページを表示するが、貯蔵していない場合はステップＣに入り、
Ｃ）前記モバイルブラウザクライアントが前記ウェブページのアドレスの対応する未再組版のページにアクセスし、
Ｄ）前記モバイルブラウザクライアントが事前設定されたページの再組版手段で前記ウェブページのアドレスの対応する未再組版のページを再組版し、該ウェブページのアドレスの対応する再組版ページを生成して表示し、
Ｅ）前記モバイルブラウザクライアントが前記ウェブページのアドレスの対応する再組版ページを前記キャッシュサーバにアップロードして貯蔵するステップを有することを特徴とするページ再組版の方法。
【請求項２】
前記ページ再組版手段はコンテンツの抽出、Ｗｅｂスクリプト言語の実行と広告の削除を含むことを特徴とする請求項１に記載のページ再組版の方法。
【請求項３】
前記事前設定されたページの再組版手段は前記モバイルブラウザクライアントの中に保存されていることを特徴とする請求項１に記載のページ再組版の方法。
【請求項４】
前記キャッシュサーバは定期的にキャッシュに保存された無効のページを整理することを特徴とする請求項１に記載のページ再組版の方法。
【請求項５】
モバイルインターネットに適用する一種のページ再組版のシステムであり、
モバイルブラウザクライアント、及びキャッシュサーバからなり、前記モバイルブラウザクライアントと前記キャッシュサーバの間はネットで接続され、前記モバイルブラウザクライアントはウェブページのアドレスの対応する再組版後のページのアクセスと表示に使用され、ページ再組版手段に従って前記ウェブページのアドレスの対応する未再組版ページを再組版ページに転換し、前記キャッシュサーバにアップロードして保存し、前記キャッシュサーバは前記ウェブページのアドレスの対応する再組版ページの保存に使用され、前記モバイルブラウザクライアントに送信するものであることを特徴とするページ再組版のシステム。
【発明の詳細な説明】
【技術分野】
【０００１】
本発明は形態ネット技術分野と関連し、とりわけ一種のウェブページ再組版の方法とシステムと関連する。
【背景技術】
【０００２】
コンピュータ・インターネット分野において、サーバキャッシュ高速化技術は広範に使用されている技術であり、完成度の高いサーバ・キャッシュ高速化製品も多く出ている。ＳＱＵＩＤとＮＧＩＮＸのような製品がサーバ・キャッシュの高速化を実現するに当たり、主な戦略はユーザーの最もよく訪問するインターネット資源（画像・性的ページなど）を高速キャッシュに貯蔵することである。このような技術は原始のｗｗｗページに一切転換を加えないため、コンピューターよりスクリーンが大分小さくなる携帯電話で、ｗｗｗページが読みづらくなる。
【０００３】
モバイルインターネット分野において、もっとも代表的なサーバキャッシュ高速化技術は是優視動景会社(ＵＣＷＥＢブラウザ）の技術であり、サーバの演算能力を利用し、ｗｗｗページをクロールしてから再組版する仕組みで動作する。インターネット上の中国語のページは数千億もあることを考えると、当該モデルを利用するには大きなサーバ的演算能力とネットワーク容量が必要となり、しかも一部のウェブサイトはＷｅｂクローラー戦略を拒んでいる。このようなウェブサイトに対し、プロキシサーバで繰り返してページをクロールするのは難しい。同時に、ページの中の大きな一部分は携帯ユーザーに訪問されるのが少ないということを考えると、ある程度のサーバ資源の無駄遣いともなると思われる。
【発明の概要】
【発明が解決しようとする課題】
【０００４】
本発明はページ再組版の新しい方法とシステムを提供し、サーバ高速化効果を保障するのと同時に、サーバ資源の無駄遣いを大幅に減らすことを目的としている。
【課題を解決するための手段】
【０００５】
このために、本発明は以下の技術ソリューションを使用している。
以下のステップがあるモバイルインターネットに適用する一種のページ再組版の方法。
Ａ）モバイルブラウザクライアントがウェブページのアドレスにアクセスする。
Ｂ）モバイルブラウザクライアントが当該ウェブページのアドレスの再組版後のページが貯蔵されたかどうかをキャッシュサーバに尋ね、キャッシュサーバがその尋ねに対し判断を下す。貯蔵している場合、キャッシュサーバが再組版後のページをモバイルブラウザクライアントに送信し、モバイルブラウザクライアントが上述の再組版後のページを表示するが、貯蔵していない場合、ステップＣに入る。
Ｃ）モバイルブラウザクライアントがウェブページのアドレスの対応する未再組版のページにアクセスする。
Ｄ）モバイルブラウザクライアントが事前設定されたページの再組版手段でウェブページのアドレスの対応する未再組版のページを再組版し、ウェブページのアドレスの対応する再組版ページを生成して表示する。
Ｅ）モバイルブラウザクライアントがウェブページのアドレスの対応する再組版ページをキャッシュサーバにアップロードして貯蔵する。
【０００６】
上記のページ再組版手段はコンテンツ抽出、Ｗｅｂスクリプト言語の実行と広告の削除を含む。
【０００７】
上記の事前設定されたページの再組版手段はモバイルブラウザクライアントの中に保存されている。
【０００８】
キャッシュサーバは定期的にキャッシュに保存された無効のページを整理する。
【０００９】
モバイルインターネットに適用する一種のページ再組版のシステムであり、モバイルブラウザクライアント、キャッシュサーバからなり、モバイルブラウザクライアントとキャッシュサーバの間はネットで接続されている。モバイルブラウザクライアントはウェブページのアドレスの対応する再組版後のページのアクセスと表示に使用され、ページ再組版手段に従ってウェブページのアドレスの対応する未再組版ページを再組版ページに転換し、キャッシュサーバにアップロードして保存する。キャッシュサーバはウェブページのアドレスの対応する再組版ページの保存に使用され、そして、モバイルブラウザクライアントに送信する。
【発明の効果】
【００１０】
本発明の技術ソリューションを利用することにより、サーバの高速化効果を保障すると同時に、大きな演算資源とネットワーク容量（ｊａｖａｓｃｒｉｐｔ（登録商標）スクリプトの実行、ＣＳＳテンプレートの利用、ｆｌａｓｈ（登録商標）のダウンロードと広告画像のロードなど）を必要となるページの再組版を必要に応じて各携帯端末に配分し、サーバ資源の使用量を大幅に減らすことができる。とりわけ、ページのコンテンツに変化が小さいニュース・ブローグと連載小説のようなウェブサイトに対する効果が著しい。
【図面の簡単な説明】
【００１１】
【図１】本発明の具体的な実施方式の中のページ再組版のフローチャートである。
【発明を実施するための形態】
【００１２】
次に添付図面にあわせて具体的な実施方式を説明することによって本発明の技術ソリューションについて更なる説明をする。
【００１３】
本発明の技術ソリューションの主要な発想は、一種のモバイルインターネットに適用するページ再組版のシステムを使用することによって、サーバの高速化効果を保障すると同時に、大きな演算資源とネットワーク容量を必要となるページの再組版を必要に応じて各携帯端末に配分することである。
【００１４】
当該システムはモバイルブラウザクライアント、キャッシュサーバからなり、モバイルブラウザクライアントとキャッシュサーバの間はネットで接続される。モバイルブラウザクライアントはウェブページのアドレスの対応する再組版後のページにアクセスしてそれを表示する。そして、ページ再組版手段に従ってウェブページのアドレスの対応する未再組版ページを再組版ページに転換し、キャッシュサーバにアップロードして保存する。キャッシュサーバはウェブページのアドレスの対応する再組版ページを保存してモバイルブラウザクライアントに送信する。
【００１５】
図１は本発明の具体的な実施方式の中のページ再組版のフローチャートである。図１が示しているように、当該ページ再組版プロセスは以下のステップを含む。
ステップ１０１、モバイルブラウザクライアントが訪問すべきウェブページのアドレスにアクセスする。
【００１６】
ステップ１０２、モバイルブラウザクライアントが当該ウェブページのアドレスの再組版後のページが貯蔵されたかどうかをキャッシュサーバに尋ねる。
【００１７】
ステップ１０３、キャッシュサーバが当該ウェブページのアドレスの再組版後のページが貯蔵されたかどうかを判断をし、貯蔵している場合はステップ１０４に入り、貯蔵していない場合はステップ１０５に入る。
【００１８】
ステップ１０４、キャッシュサーバが再組版後のページをモバイルブラウザクライアントに送信し、モバイルブラウザクライアントが上述の再組版後のページを表示する。
【００１９】
ステップ１０５、モバイルブラウザクライアントがウェブページのアドレスの対応する未再組版のページにアクセスする。
【００２０】
ステップ１０６、モバイルブラウザクライアントが事前設定されたページの再組版手段でウェブページのアドレスの対応する未再組版のページを再組版し、ウェブページのアドレスの対応する再組版ページを生成して表示する。事前設定されたページの再組版手段はモバイルブラウザクライアントの中に保存され、コンテンツ抽出・Ｗｅｂスクリプト言語の実行・広告の削除などを含む。
【００２１】
ステップ１０７、モバイルブラウザクライアントがウェブページのアドレスの対応する再組版ページをキャッシュサーバにアップロードして貯蔵する。
【００２２】
キャッシュサーバは定期的にキャッシュに保存された無効のページを整理する。無効手段はインターネット標準（ｒｆｃ２６１６）を参照するか、もしくはウェブサイトの特徴によって設定することができる。
【００２３】
キャッシュサーバはユーザの画面サイズ・モバイルモデル・ネット環境などの情報を区別した上で、異なるパラメーターに対しマルチレベルキャッシュを行うことができる。セキュリティー上の理由から、キャッシュサーバはユーザーのプライバシーの漏洩にならないよう、一時ユーザーが登録したページを保存しない。
【００２４】
また、キャッシュサーバは自動的もしくは受動的にモバイルブラウザクライアントに新たなページ再組版手段をプッシュすることができる。
【００２５】
例えＧＰＲＳのような遅いネットの下でも、ページの開くスピードは平均的に高速化する前の２５秒から高速化した後の５秒に減少した。Ｗｉｆｉ（登録商標）環境の中なら、即時に開くことができ、効果が著しい。新しいシンナニュースを開くに必要なデータ量は９００ＫＢから１００ＫＢまでに減少し、圧縮効果が著しい。
【００２６】
上述の内容は本発明の比較的適切な具体的な実施方式であるが、本発明の保護範囲はこれだけに限らない。当該技術に親しみのある人が本発明の披露した技術範囲内で簡単に思いつく変化もしくは取替えは全部本発明の保護範囲内にあるはずである。それ所以、本発明の保護範囲は権利請求書に提示される保護範囲に基づくべきである。
【図１】
2014509019.tif 000003
【国際調査報告】
2014509019.tif 000004
2014509019.tif 000005
2014509019.tif 000006
2014509019.tif 000007